(57)【要約】【課題】文書の読み取りにより得られた文書データを保護するパスワードを、その文書上の特定項目の文字列とする方式よりも、強固な保護を実現する。【解決手段】項目選択部１８は、スキャナ１０が読み取った運転免許証等の定型文書内の項目のうち、パスワードを構成する１以上の項目を例えばユーザの指示等に応じて選択する。パスワード生成部２０は、選択された１以上の項目についての文字認識結果の文字列をマージすることでパスワードを生成する。文書保護処理部２２は、定型文書のスキャン結果の文書データを、そのパスワードで保護する。属性設定部２４は、パスワード保護された文書データのファイルの属性情報に、パスワードがどの項目をどのように並べて構成したかを示すパスワードヒント属性を設定する。【選択図】図１
2019004402.tif 000002
【特許請求の範囲】
【請求項１】
定型文書に記載される項目の中からパスワードに用いる項目を選択する選択手段と、
前記定型文書のうち、前記選択手段により選択された項目についての文字認識結果の文字列からパスワードを生成する手段と、
前記定型文書の読み取りにより得られた文書データを前記パスワードにより保護した保護済み文書データに変換する手段と、
前記パスワードの生成に用いられた前記項目を特定する情報を前記保護済み文書データの属性情報に設定する手段と、
を含む情報処理装置。
【請求項２】
前記選択手段は、前記定型文書に記載される項目の中から複数の項目を前記パスワードの生成に用いるものとして選択し、
前記パスワードを生成する手段は、選択された前記複数の項目についての文字認識結果の文字列から前記パスワードを生成する、
ことを特徴とする請求項１に記載の情報処理装置。
【請求項３】
コンピュータを、
定型文書に記載される項目の中からパスワードに用いる項目を選択する選択手段と、
前記定型文書のうち、前記選択手段により選択された項目についての文字認識結果の文字列からパスワードを生成する手段、
前記定型文書の読み取りにより得られた文書データを前記パスワードにより保護した保護済み文書データに変換する手段、
前記パスワードの生成に用いられた前記項目を特定する情報を前記保護済み文書データの属性情報に設定する手段、
として機能させるためのプログラム。
【発明の詳細な説明】
【技術分野】
【０００１】
本発明は、情報処理装置及びプログラムに関する。
【背景技術】
【０００２】
スキャナや複合機には、ＩＤカード（運転免許証、クレジットカード）等の個人情報を含む定型文書についての特別なスキャン機能を搭載するものがある。この機能は、例えば、定型文書の両面のスキャン画像を１ページに並べた文書を生成し、この文書を印刷したりファイルとして出力したりする。このファイルの出力先としては、ＵＳＢ（Universal Serial Bus）メモリ等の可搬型記録媒体を指定したり、電子メールに添付して送信したりすることもできる。また、漏洩対策のために、そのファイルにパスワードを設定する機能を持つものもある。
【０００３】
特許文献１に開示された装置は、宛先毎にパスワードを設定可能であり、読み取り対象の原稿の寸法が設定寸法以下（例えば免許証サイズ以下）であれば、その原稿を読み取った画像を、宛先に対応するパスワードを付けた画像ファイルに格納し、宛先に送信する。
【０００４】
特許文献２に開示された画像処理装置は、文字列で構成されるパスワードが記載されたパスワード付き原稿を読み取って読取画像データを生成するスキャナと、読取画像データに対して文字認識処理を行うことにより、パスワードを取得するパスワード取得部と、パスワードを用いて復号化可能に、読取画像データを暗号化する暗号化部とを備える。また、画像処理装置は、読取画像データからパスワードを消去するパスワード消去部を備え、暗号化部は、パスワード消去部によってパスワードが消去された読取画像データを暗号化する。
【先行技術文献】
【特許文献】
【０００５】
【特許文献１】特開２０１５−０７０４９３号公報
【特許文献２】特開２０１１−２２３３４８号公報
【発明の概要】
【発明が解決しようとする課題】
【０００６】
文書の読み取りにより得られた文書データを保護するパスワードを、その文書上の１つの特定項目の文字列としたのでは、パスワードが容易に類推できてしまう。
【０００７】
本発明は、文書の読み取りにより得られた文書データを保護するパスワードを、その文書上の特定項目の文字列とする方式よりも、強固な保護を実現することを目的とする。
【課題を解決するための手段】
【０００８】
請求項１に係る発明は、定型文書に記載される項目の中からパスワードに用いる項目を選択する選択手段と、前記定型文書のうち、前記選択手段により選択された項目についての文字認識結果の文字列からパスワードを生成する手段と、前記定型文書の読み取りにより得られた文書データを前記パスワードにより保護した保護済み文書データに変換する手段と、前記パスワードの生成に用いられた前記項目を特定する情報を前記保護済み文書データの属性情報に設定する手段と、を含む情報処理装置である。
【０００９】
請求項２に係る発明は、前記選択手段は、前記定型文書に記載される項目の中から複数の項目を前記パスワードの生成に用いるものとして選択し、前記パスワードを生成する手段は、選択された前記複数の項目についての文字認識結果の文字列から前記パスワードを生成する、ことを特徴とする請求項１に記載の情報処理装置である。
【００１０】
請求項３に係る発明は、コンピュータを、定型文書に記載される項目の中からパスワードに用いる項目を選択する選択手段と、前記定型文書のうち、前記選択手段により選択された項目についての文字認識結果の文字列からパスワードを生成する手段、前記定型文書の読み取りにより得られた文書データを前記パスワードにより保護した保護済み文書データに変換する手段、前記パスワードの生成に用いられた前記項目を特定する情報を前記保護済み文書データの属性情報に設定する手段、として機能させるためのプログラムである。
【発明の効果】
【００１１】
請求項１又は３に係る発明によれば、文書の読み取りにより得られた文書データを保護するパスワードを、その文書中の特定項目の文字列とする方式よりも、強固な保護を実現することができる。
【００１２】
請求項２に係る発明によれば、文書中の単一の項目をパスワードとする方式よりも強固な保護を実現することができる。
【図面の簡単な説明】
【００１３】
【図１】実施形態の情報処理装置の機能的構成の一例を示す図である。
【図２】記載事項テーブルのデータ内容の例を示す図である。
【図３】パスワード候補テーブルのデータ内容の例を示す図である。
【図４】パスワード管理テーブルのデータ内容の例を示す図である。
【図５】実施形態の処理手順の例を示す図である。
【図６】パスワードを構成する項目の選択を受け付ける選択画面の例を示す図である。
【発明を実施するための形態】
【００１４】
図１に、本発明に係る情報処理装置の一実施形態を示す。以下の例では、情報処理装置として、複合機（スキャナ、プリンタ、ファクシミリ等の機能を備えた多機能装置）のようにスキャナを備えた装置を例にとって説明する。しかし、スキャナ内蔵は必須ではなく、情報処理装置は、スキャナがスキャンした画像を受信して処理できればよい。
【００１５】
またこの情報処理装置が記憶し、処理のために用いるデータの例を図２乃至図４に示す。これらデータについてまず説明する。
【００１６】
図２に、記載事項テーブルの一例を示す。記載事項テーブルは、定型文書に記載される各記載事項についての情報を保持するテーブルである。図２の例は運転免許証についての記載事項テーブルである。この記載事項テーブルには、免許番号、生年月日といった記載事項の名称（事項名）に対応付けて、それら各記載事項についての記載領域と記載形式を規定する情報が登録される。
【００１７】
図示例では、記載領域は、定型文書の面内において、その記載事項の値が記載される矩形領域の左上と右下の頂点の座標の組で表されている。定型文書の両面に記載事項が記載される場合、各記載事項の記載領域の情報には、その記載事項が表面及び裏面のいずれに記載されるのかも規定される。また定型文書が複数のページを含む場合は、各記載事項の記載領域の情報には、その記載事項が何ページ目に記載されるのかも規定される。
【００１８】
また記載形式の情報は、その記載事項の値を表現する文字列の形式を規定する。図２の例では、免許番号は数字１２桁の文字列で表現される。また生年月日は、左から順に、「昭和」又は「平成」という元号の文字列、年を示す２桁の数字列、「年」という文字、月を示す２桁の数字列、「月」という文字、日を示す２桁の数字列、「日」という文字が並んだ合計１１文字の文字列として表現される。
【００１９】
情報処理装置には、当該装置が取り扱う個々の文書種別毎に、その文書種別についての記載事項テーブルが記憶される。運転免許証は文書種別の一例であり、文書種別にはこのほかに健康保険証、クレジットカード、住民票等の様々なものがあり得る。
【００２０】
図３に、パスワード候補テーブルの一例を示す。パスワード候補テーブルは、定型文書に記載される情報のうち、その定型文書のスキャンにより得られた文書データを保護するためのパスワード構成する項目の候補（候補項目と呼ぶ）を規定するテーブルである。候補項目は、定型文書内の記載事項の文字列、又はその記載事項内の一部の文字列である。パスワード候補テーブルは、文書種別毎に用意される。図３の例は文書種別「運転免許証」についてのパスワード候補テーブルの例である。この例では、パスワード候補テーブルには、個々の候補項目毎に、その項目の識別情報（項目ＩＤ）、ラベル、使用する記載事項、文字列位置の情報が登録される。ラベルは、その候補項目の名称であり、パスワードに用いる項目を選択する際の選択肢となる候補項目のリストをユーザに提示する際に、その候補項目を表す表示情報として用いられる。使用する記載事項は、その候補項目の文字列が属する記載事項の事項名を示す。文字列位置は、使用する記載事項の文字列のうち、候補項目とする文字列の位置範囲を示す。図示例の項目ＩＤ「１」の候補項目は、「免許番号の下４桁」というラベルを持ち、運転免許証に記載された免許番号（１２桁の文字列）のうち、上位桁から数えた桁番号が８−１２桁の４桁の文字列である。また項目ＩＤ「４」の候補項目は、「生年月日の月」というラベルを持ち、記載事項「生年月日」のうちの左から６〜７文字目の２桁の文字列である。
【００２１】
図４にパスワード管理テーブルの例を示す。パスワード管理テーブルは、文書の読み取り（スキャン）により得られた文書データを保護するのに用いるパスワードを構成する項目の情報を管理するテーブルである。このテーブルには、パスワードを構成する個々の項目毎に、項目位置と項目ＩＤとが規定される。項目位置は、パスワードにおいて当該項目が占める位置を示す情報であり、この例ではパスワードの最上位桁（すなわち左端）から数えたその項目の配置位置の番号を示す。また、項目ＩＤは、図３のパスワード候補テーブルに規定された当該項目のＩＤである。図４に例示するパスワード管理テーブルは、左から順に免許番号の下４桁（項目ＩＤ「１」）と生年月日の日（項目ＩＤ「３」）を並べた合計６文字の文字列をパスワードとすることを示している。
【００２２】
記載事項テーブル（図２）及びパスワード候補テーブル（図３）は、設定情報として情報処理装置に設定され、様々な文書のスキャン（及びパスワード保護）に繰り返し使用される。これに対し、パスワード管理テーブル（図４）はある文書をスキャン（及びパスワード保護）する際に動的に生成され、その文書の文書データのパスワード保護が終了するとクリアされる。
【００２３】
情報処理装置には、上述した３つのテーブルの他に、文書種別ごとのフォーマット情報を保持する。１つの文書種別についてのフォーマット情報は、その文書種別の文書のサイズ情報や、その文書に含まれる特徴的なマークや罫線などの位置や形状を示す情報を含む。上述した記載事項テーブルは、このフォーマット情報の一部として構成されていてもよい。フォーマット情報は、スキャンした文書の画像がどの文書種別に該当するのかを判定するのに用いられる。
【００２４】
図１を参照して、本実施形態の情報処理装置を例示する。この情報処理装置は、スキャナ１０、文書種別判定部１２、文書種別指定受付部１４、ＯＣＲ処理部１６、項目選択部１８、パスワード生成部２０、文書保護処理部２２、属性設定部２４を含む。
【００２５】
スキャナ１０は、読み取り台におかれた文書を光学的に読み取って、文書データを生成する。
【００２６】
文書種別判定部１２は、スキャナ１０が文書を読み取ることにより生成した文書データを解析して、その文書データの文書種別を判定する。この文書種別の判定は、公知の手法を用いて行えばよい。例えば、文書データがいずれの文書種別のフォーマット情報が示す特徴を持つのかを判定することで、その文書データの文書種別を判定する等である。文書種別の判定において、後述するＯＣＲ処理部１６が求めた文字認識結果を参照してもよい。
【００２７】
文書種別指定受付部１４は、これからスキャンする（あるいは既にスキャンした）文書の文書種別の指定をユーザから受け付ける。例えば文書種別指定受付部１４は、取扱可能な文書種別（すなわち記載事項テーブルやパスワード候補テーブルが情報処理装置に登録済の文書種別）のリストを情報処理装置の画面に表示し、その中から今回スキャンする／スキャンした文書の種別をユーザに指定させる。なお、文書種別指定受付部１４に対してユーザが文書種別の指定をしなかった場合（あるいは文書種別の自動判定をユーザが指示した場合）、上述の文書種別判定部１２により文書種別の自動判定が行われるようにしてもよい。
【００２８】
ＯＣＲ処理部１６は、スキャナ１０が生成した文書データに対して公知のＯＣＲ（光学文字認識）処理を行うことで、文書データに含まれる文字列のデータを生成する。本実施形態では、ＯＣＲ処理は、文書データのファイルを保護するためのパスワードの材料となる各記載事項の文字列を求めるために行われる。
【００２９】
項目選択部１８は、定型文書の記載事項のうち、パスワードに用いる１以上の項目を選択する処理を行う。項目選択部１８は、スキャンされた文書の文書種別に対応するパスワード候補テーブル（図３参照）に含まれる各項目のラベルのリストを画面に表示し、ユーザからそれら項目のうちパスワードに用いるものの選択を受け付けてもよい。また別の例として、項目選択部１８は、スキャンされた文書の文書種別に対応するパスワード候補テーブルに含まれる項目の中から、パスワードに用いる項目を自動選択してもよい。なお、複数の項目を並べてパスワードを構成する場合、項目選択部１８は、パスワード中の各項目位置（図４参照）の項目を、順に（ユーザからの選択受付により又は自動選択で）選択する。選択された項目の情報は、パスワード管理テーブル（図４参照）に登録される。例えばユーザが項目のリストから３つの項目を順に選択した場合、それら３つの項目のＩＤが、項目位置１，２，３の順にパスワード管理テーブルに登録されることとなる。なお、パスワードを構成する項目の数は、ユーザが指定してもよいし、項目選択部１８が自動的に選択してもよい。
【００３０】
パスワード生成部２０は、文書データから文字認識された各記載事項の文字列の中から、パスワード管理テーブルに登録された各項目に該当する文字列を抽出し、それら各項目の文字列を当該項目の項目位置（図４参照）に従って並べることでパスワードを生成する。
【００３１】
文書保護処理部２２は、文書データをパスワード生成部２０が生成したパスワードにより保護するための処理を行う。この保護の処理は、公知の様々なパスワード保護の方法のいずれを用いてもよい。例えば、パスワードを暗号鍵として文書データを暗号化する等の処理はそのような保護処理の一例である。また、スキャンにより得られた複数ページ分の文書データのファイル群、あるいは文書データのファイルとそのＯＣＲ結果のテキストファイル、を１つのアーカイブファイル（例えばｚｉｐファイル等）にアーカイブし、そのアーカイブファイルのパスワードに、パスワード生成部２０が生成したパスワードをセットしてもよい。文書保護処理部２２による保護が施された文書データのことを、保護済みデータと呼ぶこととする。
【００３２】
属性設定部２４は、保護済みデータの属性の１つであるパスワードヒント属性として、項目選択部１８が選択した項目の並びの情報を設定する。この情報は、パスワード管理テーブル（図４参照）に基づき生成すればよい。例えば図４に例示したパスワード管理テーブルに基づき生成されたパスワードで保護された保護済みデータに対するパスワードヒント属性の値は、「［免許番号の下４桁］＋［生年月日の月］（合計６文字）」等となる。なお、保護済みデータのパスワードヒント属性は、例えば保護済みデータのファイルのファイル属性の中に組み込まれる。
【００３３】
この手順は、ユーザが情報処理装置の操作メニューからスキャン及び保護処理を伴う操作（例えば「個人情報文書スキャン（ファイル出力）」）を選択した場合に開始される。この手順では、まずスキャンの対象となる文書の文書種別を自動判別するか否かを判定する（Ｓ１０）。文書種別の自動判別を行う設定がなされている場合等には、Ｓ１０の判定結果はＹｅｓとなる。この場合、原稿台にセットされた文書をスキャナ１０がスキャンし（Ｓ１２）、その文書を表す文書データを生成する。また、このスキャンにより得られた文書データを文書種別判定部１２が解析してその文書の文書種別を判定する（Ｓ１４）。また、Ｓ１０の判定結果がＮｏの場合、情報処理装置は文書種別のリストを画面表示し、そのリストの中から今回スキャンする文書の文書種別をユーザに選択させる（Ｓ１６）。またスキャナ１０が原稿台にセットされた文書をスキャンし、その文書を表す文書データを生成する（Ｓ１８）。なお、ユーザの選択した操作が「免許証スキャン（ファイル出力）」のようにスキャン対象の文書種別を特定しているものである場合は、文書種別の自動判定（Ｓ１４）や文書種別の指定受付（Ｓ１６）の処理は不要である。
【００３４】
次に、項目選択部１８が、パスワードに用いる項目をユーザ選択とするか自動選択とするかをユーザに指定させる（Ｓ２０）。ユーザが「ユーザ選択」を選択した場合、項目選択部１８は、スキャンした文書の文書種別に対応するパスワード候補テーブル（図３参照）に登録された項目のラベルのリストを画面表示し、ユーザからパスワードを構成する項目の選択を受け付ける（Ｓ２２）。例えば、ユーザが３つの項目からパスワードを構成する旨を指定した場合、Ｓ２２では項目選択部１８は３つの項目の選択を受け付ける。
【００３５】
図６に、項目選択部１８がユーザに提示するパスワード項目の選択画面１００の例を示す。この選択画面１００には、項目選択欄１０２が含まれる。項目選択欄１０２はプルダウンメニュー形式であり、ユーザがメニューボタン１０８を押下すると、スキャンした文書の文書種別に対応するパスワード候補テーブルに含まれる項目のリストがプルダウンメニュー１０４として表示される。ユーザは、このプルダウンメニュー１０４から、パスワードに含める項目を選択する。項目選択欄１０２の隣の項目追加ボタン１０６を押下することで、新たな項目選択欄１０２を追加することができる。例えば、選択画面１００を最初に開いた際には項目選択欄１０２が１つだけ表示され、この項目選択欄１０２で１つの項目が選択可能であるが、ユーザは更に別の項目をパスワードに含めたい場合、その項目選択欄１０２の隣の項目追加ボタン１１０を押下する。これにより２つめの項目選択欄１０２が選択画面１００内に表示され、ユーザは２つめの項目を選択可能となる。このようにして、ユーザは必要な数の項目を選択する。パスワード構成欄１１０には、パスワードを構成する項目の並びが表示される。パスワードの構成は、上から順に各項目選択欄１０２で選ばれた項目が、パスワードの上位桁（左側）から順に並ぶ形式である。図示の例では、上位から順に、免許番号の下４桁、生年月日の日、の順に並ぶ６文字のパスワード構成が指定されている。パスワード構成欄１１０は、パスワード管理テーブルのデータ内容を表示したものである。パスワード欄１１２には、パスワード構成欄１１０に示された構成に従って、スキャンされた運転免許証の記載事項から生成された実際のパスワードの文字列を示している。
【００３６】
一方、項目の自動選択が指定された場合、項目選択部１８は、スキャンした文書の文書種別に対応するパスワード候補テーブルに登録された項目の中から、あらかじめ設定された個数の項目を選択する（Ｓ２４）。Ｓ２２又はＳ２４で選択された項目の情報は、パスワード管理テーブル（図４参照）に登録される（Ｓ２６）。なお、項目選択部１８が項目の自動選択を行う場合は、毎回同じ項目を選択するのではなく、例えば毎回ランダムに項目を選択する等、選択された項目の予測が困難になる形で選択を行う。
【００３７】
ＯＣＲ処理部１６は、Ｓ１２又はＳ１８のスキャンにより得られた文書データに対してＯＣＲ処理を実行する（Ｓ２８）。このＯＣＲ処理では、記載事項テーブル（図２参照）を参照し、文書データ内の記載事項ごと、その記載事項の文字列が認識される。なお、このＯＣＲ処理は、Ｓ２０〜Ｓ２６の処理と並行して実行可能である。
【００３８】
次にパスワード生成部２０は、Ｓ２６で生成されたパスワード管理テーブルを参照して、パスワードを生成する（Ｓ３０）。すなわち、パスワード管理テーブルに登録された各項目の文字列をＯＣＲ結果の各記載事項の文字列から抽出し、それら抽出した文字列をパスワード管理テーブルの項目位置の示す順番に並べることで、パスワードを生成する。例えば、パスワード候補テーブル及びパスワード管理テーブルが図３及び図４に例示するものである場合、生成されるパスワードは、読み取った運転免許証の中の免許番号の下４桁の次に生年月日の月（２桁）をマージした合計６文字の文字列となる。
【００３９】
次に、文書保護処理部２２が、パスワード生成部２０により生成されたパスワードを用いて、スキャン結果の文書データにパスワード保護を施すことで、保護済みデータを生成する（Ｓ３２）。そして、属性設定部２４が、その保護済みデータに対して、パスワードの構成を示す情報（パスワード管理テーブルに登録されている項目を順に並べたもの）をパスワードヒント属性として設定する（Ｓ３４）。
【００４０】
このようにして生成されたパスワードヒント属性設定済みの保護済みデータのファイルは、ユーザから指示された方式で出力される。出力の方式には、例えばＵＳＢメモリ等の可搬型記録媒体への保存、近接無線通信によるユーザの携帯情報端末への転送、ユーザが入力した電子メールアドレスを宛先とする電子メールへの添付、ユーザが指定したサーバへの送信等がある。
【００４１】
本実施形態の情報処理装置により生成された保護済みデータは、スキャナ１０で読み取った定型文書中の複数の項目のうちから任意に選ばれた１以上の項目から構成されたパスワードにより保護される。したがって、本実施形態によるパスワード保護は、毎回同じ特定の項目をパスワードとする方式と比べて、より破られにくい強固な保護を実現する。また、保護済みデータには、どの項目からパスワードを構成したかを示す情報が属性として設定されているので、仮にユーザがパスワードを忘れた場合でも、例えば保護済みデータのファイルの属性を表示することでパスワードの組み立て方を知ることができ、元の定型文書（運転免許証等）を参照してパスワードを再現できる。
【００４２】
以上に説明した例では、文書中の複数の項目からパスワードが構成される場合を代表として説明したが、１つの項目のみをパスワードとして用いてももちろんよい。
【００４３】
また、以上の例では、情報処理装置は、スキャンした文書中の記載事項又はその一部をパスワードに組み込む項目の候補としたが、ユーザが携帯する携帯デバイスから得られる情報を候補として追加してもよい。ユーザは、電子マネーカード、クレジットカード、ＩＣカード型社員証等のカード型認証デバイスや、それらと同等の認証機能を提供する携帯情報端末（スマートフォン等）を携帯していることが多い。情報処理装置がそのような携帯デバイスと通信したり、携帯デバイスの持つ情報を読み取ったりする機能を備えている場合、その携帯デバイスが持つ識別情報又はその一部をパスワードに組み込む項目として用いるのである。携帯デバイスが持つ識別情報には、例えば、カードの識別番号（クレジットカード番号や電子マネーカードの識別番号、社員番号等）や携帯情報端末にインストールされたそれらと同等の情報がある。項目選択部１８は、スキャンにより得た文書データから認識した各記載事項に基づく候補項目群と、ユーザの携帯デバイスの識別情報に基づく候補項目との中から、パスワードに組み込む１以上の項目を（自動であるいはユーザの指定に基づき）選択する。
【００４４】
以上に例示した情報処理装置は、コンピュータに上述の各機能を表すプログラムを実行させることにより実現される。ここで、コンピュータは、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶）、フラッシュメモリやＳＳＤ（ソリッドステートドライブ）、ＨＤＤ（ハードディスクドライブ）や等の固定記憶装置を制御するコントローラ、各種Ｉ／Ｏ（入出力）インタフェース、ローカルエリアネットワークなどのネットワークとの接続のための制御を行うネットワークインタフェース等が、たとえばバス等を介して接続された回路構成を有する。それら各機能の処理内容が記述されたプログラムがネットワーク等の経由でフラッシュメモリ等の固定記憶装置に保存され、コンピュータにインストールされる。固定記憶装置に記憶されたプログラムがＲＡＭに読み出されＣＰＵ等のマイクロプロセッサにより実行されることにより、上に例示した機能モジュール群が実現される。
【符号の説明】
【００４５】
１０  スキャナ、１２  文書種別判定部、１４  文書種別指定受付部、１６  ＯＣＲ処理部、１８  項目選択部、２０  パスワード生成部、２２  文書保護処理部、２４  属性設定部。
【図１】
2019004402.tif 000003
【図２】
2019004402.tif 000004
【図３】
2019004402.tif 000005
【図４】
2019004402.tif 000006
【図５】
2019004402.tif 000007
【図６】
2019004402.tif 000008